(57)【要約】【課題】医療用ガウンの着用時に、医療用ガウンの前面部の胸部を清潔に維持する。【解決手段】医療用ガウン１は、前面部２と、背面部と、一対の袖部４と、シート状の保護部材６とを備える。前面部２は、着用者の前面を覆う。背面部は、着用者の背面を覆う。一対の袖部４は、前面部２および背面部の左右方向の両側に繋がる。一対の袖部４には、着用者の両腕が挿入される。保護部材６は、前面部２に取り外し可能に取り付けられる。保護部材６は、着用者の胸部の前側にて前面部２の外面を覆う。これにより、医療用ガウン１の着用時に、医療用ガウン１の前面部２のうち着用者の胸部を覆う部位（すなわち、前面部２の胸部）を清潔に維持することができる。また、医療用ガウン１の着用完了後に保護部材６を取り外すことにより、医療用ガウン１の前面部２の胸部が清潔な状態で、外科手術等の処置を開始することができる。【選択図】図３
2017214667.tif 000002
【特許請求の範囲】
【請求項１】
医療用ガウンであって、
着用者の前面を覆う前面部と、
前記着用者の背面を覆う背面部と、
前記前面部および前記背面部の左右方向の両側に繋がり、前記着用者の両腕が挿入される一対の袖部と、
前記前面部に取り外し可能に取り付けられて前記着用者の胸部の前側にて前記前面部の外面を覆うシート状の保護部材と、
を備えることを特徴とする医療用ガウン。
【請求項２】
請求項１に記載の医療用ガウンであって、
前記保護部材が、プラスチック製のフィルムであることを特徴とする医療用ガウン。
【請求項３】
請求項１または２に記載の医療用ガウンであって、
前記保護部材が、粘着材を介して前記前面部に取り付けられることを特徴とする医療用ガウン。
【請求項４】
請求項１ないし３のいずれかに記載の医療用ガウンであって、
前記保護部材の縁部に、前記前面部から離間する把持可能な摘まみ部が設けられることを特徴とする医療用ガウン。
【請求項５】
請求項１ないし４のいずれかに記載の医療用ガウンであって、
前記前面部が、
前記背面部の左右方向の一方側から前記着用者の前側に広がり、前記着用者の前記前面を覆う内前面部と、
前記背面部の左右方向の他方側から前記着用者の前側に広がり、前記内前面部の前側にて前記内前面部に重なるとともに前記着用者の前記前面を覆う外前面部と、
を備え、
前記医療用ガウンが、前記着用者の左右方向の前記一方側にて前記外前面部の上部を前記内前面部の上部または前記背面部の上部に着脱自在に固定する上固定部をさらに備え、
前記保護部材が、前記外前面部に取り外し可能に取り付けられて前記着用者の前記胸部の前側にて前記外前面部の外面を覆うことを特徴とする医療用ガウン。
【請求項６】
請求項１ないし３のいずれかに記載の医療用ガウンであって、
前記前面部が、
前記背面部の左右方向の一方側から前記着用者の前側に広がり、前記着用者の前記前面を覆う内前面部と、
前記背面部の左右方向の他方側から前記着用者の前側に広がり、前記内前面部の前側にて前記内前面部に重なるとともに前記着用者の前記前面を覆う外前面部と、
を備え、
前記医療用ガウンが、前記着用者の左右方向の前記一方側にて前記外前面部の上部を前記内前面部の上部または前記背面部の上部に着脱自在に固定する上固定部をさらに備え、
前記保護部材が、前記外前面部に取り外し可能に取り付けられて前記着用者の前記胸部の前側にて前記外前面部の外面を覆い、
前記着用者の左右方向の前記他方側において、前記保護部材の上部の縁部に、前記外前面部から離間する把持可能な摘まみ部が設けられることを特徴とする医療用ガウン。
【発明の詳細な説明】
【技術分野】
【０００１】
本発明は、医療用ガウンに関する。
【背景技術】
【０００２】
従来、外科手術等の際には、手術に携わる医師および看護師等の医療者は、滅菌された医療用ガウンを着用する。医療者が医療用ガウンを着用することにより、易感染状態の患者を感染源から守り、また、患者の血液や体液等が医療者の肌に付着することを防止することができる。
【０００３】
このような医療用ガウンとしては、後身頃の右側の部位と左側の部位とを着用者の背面側にて接続する背閉じタイプのものが利用されている（特許文献１および特許文献２参照）。当該医療用ガウンを着用する際には、着用者の手や前腕部が背面側に回って不潔状態になることを防止するために、介助者により後身頃の左右両側の部位を閉じて互いに固定してもらう。そして、前身頃から延びる紐を着用者が介助者に渡し、介助者が当該紐を着用者の背面側を通して再度着用者に渡し、着用者が当該紐と他の紐とを腰部近傍にて括ることにより、医療用ガウンを着用者の身体にフィットさせる。
【先行技術文献】
【特許文献】
【０００４】
【特許文献１】特開２０１４−１６３０２２号公報
【特許文献２】特開２００３−２６８６１０号公報
【発明の概要】
【発明が解決しようとする課題】
【０００５】
ところで、病院等の施設では、医療用ガウンを着用するための専用の場所がない場合が多く、他の用途にも使用される場所で医療用ガウンの着用が行われている。このため、着用時に医療用ガウンが、滅菌されていない場所や器具等に触れて清潔性が損なわれるおそれがある。易感染状態の患者を感染源から守るという観点からは、医療用ガウンは着用時であっても清潔性を維持する必要があり、特に、医療用ガウンの前面部の胸部は高い清潔性を維持する必要がある。
【０００６】
本発明は、上記課題に鑑みなされたものであり、医療用ガウンの着用時に、医療用ガウンの前面部の胸部を清潔に維持することを目的としている。
【課題を解決するための手段】
【０００７】
請求項１に記載の発明は、医療用ガウンであって、着用者の前面を覆う前面部と、前記着用者の背面を覆う背面部と、前記前面部および前記背面部の左右方向の両側に繋がり、前記着用者の両腕が挿入される一対の袖部と、前記前面部に取り外し可能に取り付けられて前記着用者の胸部の前側にて前記前面部の外面を覆うシート状の保護部材とを備える。
【０００８】
請求項２に記載の発明は、請求項１に記載の医療用ガウンであって、前記保護部材が、プラスチック製のフィルムである。
【０００９】
請求項３に記載の発明は、請求項１または２に記載の医療用ガウンであって、前記保護部材が、粘着材を介して前記前面部に取り付けられる。
【００１０】
請求項４に記載の発明は、請求項１ないし３のいずれかに記載の医療用ガウンであって、前記保護部材の縁部に、前記前面部から離間する把持可能な摘まみ部が設けられる。
【００１１】
請求項５に記載の発明は、請求項１ないし４のいずれかに記載の医療用ガウンであって、前記前面部が、前記背面部の左右方向の一方側から前記着用者の前側に広がり、前記着用者の前記前面を覆う内前面部と、前記背面部の左右方向の他方側から前記着用者の前側に広がり、前記内前面部の前側にて前記内前面部に重なるとともに前記着用者の前記前面を覆う外前面部とを備え、前記医療用ガウンが、前記着用者の左右方向の前記一方側にて前記外前面部の上部を前記内前面部の上部または前記背面部の上部に着脱自在に固定する上固定部をさらに備え、前記保護部材が、前記外前面部に取り外し可能に取り付けられて前記着用者の前記胸部の前側にて前記外前面部の外面を覆う。
【００１２】
請求項６に記載の発明は、請求項１ないし３のいずれかに記載の医療用ガウンであって、前記前面部が、前記背面部の左右方向の一方側から前記着用者の前側に広がり、前記着用者の前記前面を覆う内前面部と、前記背面部の左右方向の他方側から前記着用者の前側に広がり、前記内前面部の前側にて前記内前面部に重なるとともに前記着用者の前記前面を覆う外前面部とを備え、前記医療用ガウンが、前記着用者の左右方向の前記一方側にて前記外前面部の上部を前記内前面部の上部または前記背面部の上部に着脱自在に固定する上固定部をさらに備え、前記保護部材が、前記外前面部に取り外し可能に取り付けられて前記着用者の前記胸部の前側にて前記外前面部の外面を覆い、前記着用者の左右方向の前記他方側において、前記保護部材の上部の縁部に、前記外前面部から離間する把持可能な摘まみ部が設けられる。
【発明の効果】
【００１３】
本発明では、医療用ガウンの着用時に、医療用ガウンの前面部の胸部を清潔に維持することができる。
【図面の簡単な説明】
【００１４】
【図１】一の実施の形態に係る医療用ガウンを広げた状態で示す図である。
【図２】医療用ガウンを広げた状態で示す図である。
【図３】着用者が着用した状態の医療用ガウンの正面図である。
【図４】着用者が着用した状態の医療用ガウンの背面図である。
【図５】着用途上の医療用ガウンの正面図である。
【図６】着用途上の医療用ガウンの正面図である。
【図７】着用完了時の医療用ガウンの正面図である。
【図８】他の好ましい医療用ガウンを広げた状態で示す図である。
【発明を実施するための形態】
【００１５】
図１は、本発明の一の実施の形態に係る医療用ガウン１を示す図である。医療用ガウン１は、外科手術等の際に医師および看護師等が着用するガウンである。医療用ガウン１は、例えば、不織布等により形成された使い捨て外衣である。図１は、着用前の医療用ガウン１を広げた状態で示す背面図である。図１では、医療用ガウン１の着用者に接する内面とは反対側の外面を手前にして医療用ガウン１を描いている。図２は、着用前の医療用ガウン１を広げた状態で示す正面図である。図２では、医療用ガウン１の内面を手前にして医療用ガウン１を描いている。図３は、着用者が着用した状態の医療用ガウン１の前面側を示す正面図である。図４は、着用者が着用した状態の医療用ガウン１の背面側を示す背面図である。
【００１６】
医療用ガウン１は、着用者の前側で左右の部位を閉じる前閉じタイプのガウンである。医療用ガウン１は、前面部２と、背面部３と、一対の袖部４と、上固定部７１と、側縁固定部７２とを備える。前面部２は、着用者の前面を覆う。背面部３は、着用者の背面を覆う。一対の袖部４は、前面部２および背面部３の左右方向の両側に繋がる。一対の袖部４には、着用者の両腕が挿入される。各袖部４は、着用者の腕のうち肩部から手首近傍に至る部位を覆う。詳細には、各袖部４は、着用者の腕のうち、手首と肘との中間の部位から肩部に至る部位を覆う。
【００１７】
前面部２は、内前面部２１と、外前面部２２とを備える。内前面部２１は、背面部３の左右方向の一方側から着用者の前面に広がり、着用者の前面を覆う。外前面部２２は、背面部３の左右方向の他方側から着用者の前面に広がる。換言すれば、外前面部２２は、背面部３の左右両側の端部のうち、内前面部２１が繋がる側とは反対側に繋がる。外前面部２２は、内前面部２１の前側にて内前面部２１に重なるとともに着用者の前面を覆う。図１ないし図３に示す例では、内前面部２１は、着用者の右側において背面部３に繋がり、外前面部２２は、着用者の左側において背面部３に繋がる。
【００１８】
内前面部２１は、着用者の胸部、腹部、腰部前面および両脚の前面を覆う。図３に示す例では、内前面部２１は、着用者の胸部の左肩部近傍を除く略全体を覆う。また、内前面部２１は、着用者の腹部の略全体、腰部前面の略全体、および、両脚の前面のうち脚の付け根部から膝下に至る部位を覆う。
【００１９】
外前面部２２は、内前面部２１の前側において、着用者の胸部、腹部、腰部前面および両脚の前面を覆う。図３に示す例では、外前面部２２は着用者の胸部の略全体、着用者の腹部の略全体、腰部前面の略全体、および、両脚の前面のうち脚の付け根部から膝下に至る部位を覆う。外前面部２２は、内前面部２１の前面の略全体を覆う。外前面部２２の上縁は、着用者の喉元にて左右方向に略平行に延びる。
【００２０】
背面部３は、連続する１枚のシート状の部位である。背面部３は、着用者の背部、腰部背面（臀部を含む。）および両脚の背面を覆う。図４に示す例では、背面部３は、着用者の背部の略全体、腰部背面の略全体、および、両脚の背面のうち脚の付け根部から膝下に至る部位を覆う。
【００２１】
内前面部２１、外前面部２２および背面部３は、例えば、疎水性繊維（ポリプロピレン、ポリエチレン、ポリエステル、ポリアミド、ナイロン等）にて形成された不織布製である。内前面部２１、外前面部２２および背面部３は、例えば、複数種類の不織布が積層された積層構造を有する。
【００２２】
上固定部７１は、着用者の左右方向の上記一方側（すなわち、図３に示す例では、着用者の右側）にて、外前面部２２の上部を内前面部２１の上部に着脱自在に固定する。図３に示す例では、上固定部７１は、外前面部２２の略水平に延びる上端縁に沿って、着用者の肩部の略全長に亘って連続して外前面部２２の上端部に設けられる。上固定部７１は、例えば、面ファスナである。具体的には、上固定部７１は、第１係止部７１１と、第１係止部７１１が着脱自在に係止可能な第２係止部７１２とを備える。例えば、第１係止部７１１は、多数の微小フック構造を有するフック部材であり、第２係止部７１２は、多数の微小ループ構造を有するループ部材である。第１係止部７１１は、外前面部２２の着用者側の面である内面に配置される。第２係止部７１２は、内前面部２１の着用者とは反対側の面である外面に配置される。
【００２３】
図１ないし図４に示すように、前面部２は、上突出部２３をさらに備える。上突出部２３は、外前面部２２の上部から上方または前方に突出する。上突出部２３は、例えば、上固定部７１近傍に設けられる。上突出部２３は、例えば略帯状の部位であり、着用者により把持可能である。上突出部２３は、例えば、外前面部２２の上縁から上方に突出する。上突出部２３は、例えば、外前面部２２の外面の上固定部７１に重なる位置から前方に突出してもよい。
【００２４】
図３および図４に示す例では、上突出部２３は、着用者の右肩を跨いで背面側（すなわち、後側）へと延び、背面部３の外面に着脱自在に固定される。例えば、上突出部２３の先端部、および、背面部３のうち上突出部２３の先端部と重なる部位に面ファスナ２３１，２３２が設けられ、当該面ファスナ２３１，２３２により、上突出部２３が背面部３の外面に着脱自在に固定される。背面部３の面ファスナ２３２は、例えば、左右方向の上記一方側（すなわち、着用者の右側）の肩部に配置される。背面部３に設けられる面ファスナ２３２は、上突出部２３に設けられる面ファスナ２３１よりも大きい。これにより、背面部３において上突出部２３を固定する位置を、着用者の体型等に合わせて容易に調節することができる。
【００２５】
図３に示すように、側縁固定部７２は、着用者の左右方向の上記一方側（すなわち、着用者の右側）にて、外前面部２２の側縁部を内前面部２１に着脱自在に固定する。図３に示す例では、側縁固定部７２は、外前面部２２の略上下方向に延びる側縁に沿って、外前面部２２の側縁部の略全長に亘って連続して設けられる。側縁固定部７２は、例えば、上固定部７１と同様の面ファスナである。具体的には、側縁固定部７２は、第１係止部７２１と、第１係止部７２１が着脱自在に係止可能な第２係止部７２２とを備える。例えば、第１係止部７２１は、多数の微小フック構造を有するフック部材であり、第２係止部７２２は、多数の微小ループ構造を有するループ部材である。第１係止部７２１は、外前面部２２の内面に配置される。第２係止部７２２は、内前面部２１の外面に配置される。
【００２６】
図１ないし図４に示すように、前面部２は、中央突出部２４をさらに備える。中央突出部２４は、外前面部２２の側縁の上下方向の中央部から側方に突出する。中央突出部２４は、例えば略帯状の部位であり、着用者により把持可能である。図３および図４に示す例では、中央突出部２４は、着用者の右脇腹部を跨いで背面側へと延び、背面部３の外面に着脱自在に固定される。例えば、中央突出部２４の先端部、および、背面部３のうち中央突出部２４の先端部と重なる部位に面ファスナ２４１，２４２が設けられ、当該面ファスナ２４１，２４２により、中央突出部２４が背面部３の外面に着脱自在に固定される。背面部３に設けられる面ファスナ２４２は、中央突出部２４に設けられる面ファスナ２４１よりも大きい。これにより、背面部３において中央突出部２４を固定する位置を、着用者の体型等に合わせて容易に調節することができる。
【００２７】
図１および図２に示すように、医療用ガウン１は、第１紐部７３と、第２紐部７４とを備える。第１紐部７３の一方の端部は、内前面部２１の上下方向の中央部において、内前面部２１の側縁部に固定される。第２紐部７４の一方の端部は、外前面部２２の上下方向の中央部において、外前面部２２の内面に固定される。第２紐部７４の一方の端部は、例えば、外前面部２２の内面のうち、外前面部２２と背面部３との境界部近傍に固定される。また、第２紐部７４の一方の端部は、上下方向に関し、例えば、着用者が腕を下側に伸ばした状態において着用者の肩部と肘との間に位置する。後述するように、医療用ガウン１が着用者により着用される際には、第１紐部７３と第２紐部７４とが結ばれる。
【００２８】
第１紐部７３と結ばれる前の第２紐部７４は、他方の端部が外前面部２２の側縁から側方に突出した状態で、外前面部２２に取り外し可能に仮固定されている。医療用ガウン１では、例えば、外前面部２２の側縁部の内面に粘着材が設けられ、第２紐部７４の上記他方の端部近傍の部位が、当該粘着材を介して外前面部２２の内面に粘着されることにより、第２紐部７４が外前面部２２に仮固定される。第２紐部７４の仮固定は、上記他方の端部が把持されて外前面部２２の内面から離れる方向に引っ張られることにより容易に解除される。第２紐部７４の仮固定の解除は、第２紐部７４、外前面部２２、および、第２紐部７４の上記一方の端部と外前面部２２との接続部が破損することなく行われる。
【００２９】
図１ないし図４に示すように、医療用ガウン１は、さらに、一対の手袋部５を備える。一対の手袋部５は、一対の袖部４の先端部に接続され（すなわち、固定され）、一対の袖部４の先端部の開口を密閉する。一対の手袋部５は、一対の袖部４とは別部材である。手袋部５の指先部とは反対側の端縁部は、袖部４の先端部に全周に亘って隙間無く接合される。好ましくは、一対の袖部４の先端部が一対の手袋部５の内部に挿入された状態で、一対の袖部４の先端部の外面と一対の手袋部５の内面とが固定されることにより、一対の手袋部５が一対の袖部４の先端部に接続される。袖部４と手袋部５との固定は、例えば、超音波接合により行われる。袖部４と手袋部５との固定は、超音波接合以外の様々な方法（例えば、熱圧着、縫製または接着剤による接着）により行われてもよい。
【００３０】
一対の手袋部５の内部空間は、一対の袖部４の内部空間と連通する。一対の手袋部５の内部空間には、着用者の両手が挿入される。図１ないし図４に示す例では、一対の手袋部５には、着用者の両手および両手首が挿入される。一対の手袋部５は、好ましくは、弾性部材製である。手袋部５は、例えば、天然ゴム製または合成ゴム製である。一対の手袋部５は、内部空間に挿入された着用者の両手に密着する。図３および図４に示す例では、一対の手袋部５の指先部とは反対側の端縁はそれぞれ、着用者の手首と肩部との間に位置する。詳細には、一対の手袋部５の端縁はそれぞれ、着用者の手首と肘との間に位置する。
【００３１】
図１および図３に示すように、医療用ガウン１は、さらに、シート状の保護部材６を備える。保護部材６は、前面部２に取り外し可能に取り付けられる。具体的には、保護部材６は、前面部２の外前面部２２の外面に取り外し可能に取り付けられる。保護部材６は、例えば、粘着材を介して前面部２に取り付けられる。保護部材６の取り付けに使用される粘着材の粘着力は比較的小さいため、保護部材６は、前面部２を破損することなく容易に前面部２から取り外す（すなわち、剥がす）ことができる。保護部材６の前面部２への取り付けは、粘着材による粘着以外の様々な方法により行われてもよい。
【００３２】
保護部材６は、例えば、プラスチック製のフィルムである。保護部材６として、プラスチック製のフィルム以外の様々な部材が利用されてもよい。保護部材６は、好ましくは透光性を有し、より好ましくは透明である。これにより、医療用ガウン１のうち保護部材６に覆われた部位を目視することができるため、医療用ガウン１の着用が容易となる。保護部材６は、例えば、略矩形状である。保護部材６は、少なくとも着用者の胸部の前側にて、前面部２の外面を覆う。図３に示す例では、保護部材６は、着用者の胸部および腹部の前側にて、外前面部２２の外面を覆う。また、保護部材６は、上固定部７１および側縁固定部７２と前後方向に重なる。保護部材６の形状は、様々に変更されてよい。
【００３３】
保護部材６の縁部には、把持可能な摘まみ部６１が設けられる。摘まみ部６１は、例えば、略帯状の部材である。摘まみ部６１の一方の端部は保護部材６の縁部に固定される。摘まみ部６１の他方の端部は、保護部材６の外縁から外側に突出する。摘まみ部６１の他方の端部は、前面部２から前方に離間している。摘まみ部６１の形状および構造は様々に変更されてよい。また、摘まみ部６１の他方の端部は、必ずしも保護部材６の外縁から外側に突出する必要はない。摘まみ部６１は、例えば、前側に折り返された保護部材６の角部であってもよい。
【００３４】
図３に示す例では、摘まみ部６１は、着用者の左右方向の上記他方側（すなわち、着用者の左側）において、保護部材６の上部の縁部に設けられる。摘まみ部６１は、上下方向に延びる略帯状である。摘まみ部６１の下端部は、保護部材６の上部の縁部に固定されている。摘まみ部６１の上端部は、保護部材６の上縁から上方に突出し、外前面部２２から前方に離間している。
【００３５】
次に、医療用ガウン１の着用について説明する。ここでは、着用者が独力で（すなわち、介助者による介助無しで）医療用ガウン１を着用する場合について説明する。医療用ガウン１を着用する際には、まず、図５に示すように、着用者の両腕が一対の袖部４に挿入される。また、着用者の両手は、一対の手袋部５に挿入される。換言すれば、一対の手袋部５を着用者の両手に装着する。これにより、着用者が両手の指を自由に動かすことが可能となり、医療用ガウン１の着用作業を容易に行うことができる。図５に示す状態では、内前面部２１と外前面部２２とは、着用者の前側において左右に離間しており、互いに固定されていない状態である。
【００３６】
続いて、外前面部２２を前方へと拡げた状態で、着用者が内前面部２１を左右方向の上記一方側から上記他方側へと（図５中では、着用者の右側から左側へと）拡げ、図６に示すように、内前面部２１の内面を着用者の前面に接触させる。また、着用者は、外前面部２２の側縁から突出している第２紐部７４の端部（図５参照）を把持して引っ張ることにより、第２紐部７４の外前面部２２への仮固定を解除する。そして、外前面部２２の内面から延びる第２紐部７４と、内前面部２１の側縁部から延びる第１紐部７３とが着用者により結ばれることにより、内前面部２１の側縁部が外前面部２２の内面に固定される。これにより、着用者にとって好ましい程度に、内前面部２１を着用者の前面にフィットさせることができる。
【００３７】
次に、着用者は、上突出部２３を把持し、内前面部２１の前側において、外前面部２２を左右方向の上記他方側から上記一方側へと（図６中では、着用者の左側から右側へと）拡げる。そして、外前面部２２の内面を内前面部２１の外面に接触させる。
【００３８】
続いて、着用者は、上固定部７１により外前面部２２の上部を内前面部２１の上部に固定する。具体的には、上固定部７１の第１係止部７１１を第２係止部７１２上に重ね、第１係止部７１１を第２係止部７１２へと押し当てることにより、第１係止部７１１を第２係止部７１２に固定する。第１係止部７１１を第２係止部７１２へと押し当てる際には、例えば、着用者の手等により、保護部材６および外前面部２２を介して第１係止部７１１が第２係止部７１２に向かって押圧される。上述のように、保護部材６は上固定部７１と重なっているため、着用者の手が直接的に外前面部２２に接触することが防止される。上固定部７１により外前面部２２の上部を内前面部２１の上部に固定する際には、上突出部２３を後方へと引っ張ることにより、第１係止部７１１が第２係止部７１２へと押し当てられてもよい。
【００３９】
上固定部７１の第１係止部７１１の固定位置を変更したい場合には、例えば、上突出部２３を前方に引っ張って第１係止部７１１を第２係止部７１２から剥がし、第１係止部７１１の位置を調整した後、第１係止部７１１を第２係止部７１２へと再度押し当てる。これにより、外前面部２２の上部の位置を容易に調節することができる。第１係止部７１１が第２係止部７１２に固定されると、着用者は、上突出部２３を後方へと引っ張り、上突出部２３の先端部の面ファスナ２３１を、背面部３の面ファスナ２３２（図４参照）へと押し当てて固定する。
【００４０】
また、着用者は、側縁固定部７２により、着用者の左右方向の上記一方側（図６中では、着用者の右側）にて、外前面部２２の側縁部を内前面部２１に固定する。具体的には、側縁固定部７２の第１係止部７２１を第２係止部７２２上に重ね、第１係止部７２１を第２係止部７２２へと押し当てることにより、第１係止部７２１を第２係止部７２２に固定する。第１係止部７２１を第２係止部７２２へと押し当てる際には、例えば、着用者の手等により、保護部材６および外前面部２２を介して第１係止部７２１が第２係止部７２２に向かって押圧される。上述のように、保護部材６は側縁固定部７２と重なっているため、着用者の手が直接的に外前面部２２に接触することが防止される。
【００４１】
側縁固定部７２の第１係止部７２１の固定位置を変更したい場合には、例えば、中央突出部２４を把持して前方に引っ張って第１係止部７２１を第２係止部７２２から剥がし、第１係止部７２１の位置を調整した後、第１係止部７２１を第２係止部７２２へと再度押し当てる。これにより、外前面部２２の側縁部の位置を容易に調節することができる。第１係止部７２１が第２係止部７２２に固定されると、着用者は、中央突出部２４を後方へと引っ張り、中央突出部２４の先端部の面ファスナ２４１を、背面部３の面ファスナ２４２（図４参照）へと押し当てて固定する。これにより、図３に示すように、外前面部２２が内前面部２１へと固定され、前面部２が着用者の腰回りにフィットする。
【００４２】
その後、着用者は、摘まみ部６１の端部を摘まみ、摘まみ部６１を前方へと引っ張って保護部材６を前面部２から取り外す。これにより、図７に示すように、着用者による医療用ガウン１の着用が終了する。
【００４３】
以上に説明したように、医療用ガウン１は、前面部２と、背面部３と、一対の袖部４と、シート状の保護部材６とを備える。前面部２は、着用者の前面を覆う。背面部３は、着用者の背面を覆う。一対の袖部４は、前面部２および背面部３の左右方向の両側に繋がる。一対の袖部４には、着用者の両腕が挿入される。保護部材６は、前面部２に取り外し可能に取り付けられる。保護部材６は、着用者の胸部の前側にて前面部２の外面を覆う。これにより、医療用ガウン１の着用時に、医療用ガウン１の前面部２のうち着用者の胸部を覆う部位（すなわち、前面部２の胸部）を清潔に維持することができる。また、医療用ガウン１の着用完了後に保護部材６を取り外すことにより、医療用ガウン１の前面部２の胸部が清潔な状態で、外科手術等の処置を開始することができる。
【００４４】
医療用ガウン１では、保護部材６がプラスチック製のフィルムであるため、浮遊物等が保護部材６を通過して前面部２の胸部に到達することを防止することができる。これにより、医療用ガウン１の前面部２の胸部の清潔性を向上することができる。また、保護部材６を軽量化することができるため、着用時の医療用ガウン１の取り扱いを容易とすることができる。さらには、保護部材６を薄くすることができるため、製造時に医療用ガウン１を容易に畳むこともできる。
【００４５】
上述のように、保護部材６は、粘着材を介して前面部２に取り付けられる。これにより、保護部材６を前面部２から容易に剥がすことができる。
【００４６】
医療用ガウン１では、保護部材６の縁部に、前面部２から離間する把持可能な摘まみ部６１が設けられる。着用者は、摘まみ部６１を摘まんで引っ張ることにより、前面部２に直接的に触れることなく、保護部材６を前面部２からさらに容易に剥がすことができる。
【００４７】
医療用ガウン１では、前面部２は、内前面部２１と、外前面部２２とを備える。内前面部２１は、背面部３の左右方向の一方側から着用者の前側に広がり、着用者の前面を覆う。外前面部２２は、背面部３の左右方向の他方側から着用者の前側に広がり、内前面部２１の前側にて内前面部２１に重なるとともに着用者の前面を覆う。保護部材６は、外前面部２２に取り外し可能に取り付けられて着用者の胸部の前側にて外前面部２２の外面を覆う。また、医療用ガウン１は、上固定部７１をさらに備える。上固定部７１は、着用者の左右方向の上記一方側にて外前面部２２の上部を内前面部２１の上部に着脱自在に固定する。これにより、着用者は、腕を背面側に回すことなく清潔性を維持した状態で、医療用ガウン１を独力で容易に着用することができる。また、着用者の前側において内前面部２１と外前面部２２とを重ねる（すなわち、医療用ガウン１の生地を二重に重ねる）ことにより、患者の血液や体液等の飛沫により着用者が汚染されることを抑制することができる。
【００４８】
上固定部７１は、外前面部２２の上部を、必ずしも内前面部２１の上部に固定する必要はない。上固定部７１は、外前面部２２の上部を、着用者の左右方向の上記一方側（図３中では、着用者の右側）にて背面部３の上部に着脱自在に固定してもよい。具体的には、外前面部２２の上部は、背面部３の右肩部に着脱自在に固定される。換言すれば、医療用ガウン１では、外前面部２２の上部は、上固定部７１により、着用者の左右方向の上記一方側にて内前面部２１の上部または背面部３の上部に着脱自在に固定される。いずれの場合であっても、上述のように、着用者が医療用ガウン１を独力で容易に着用することができる。
【００４９】
医療用ガウン１では、摘まみ部６１は、着用者の左右方向の上記他方側において、保護部材６の上部の縁部に設けられる。このように、摘まみ部６１が、着用者の左右方向における上固定部７１とは反対側に設けられることにより、摘まみ部６１を摘まんで保護部材６を剥がす際に、上固定部７１による外前面部２２の固定が意図せず解除されることを抑制することができる。
【００５０】
上述の医療用ガウン１では、様々な変更が可能である。
【００５１】
例えば、上固定部７１では、面ファスナのループ部材である第２係止部７１２が省略され、フック部材である第１係止部７１１が前面部２または背面部３に直接的に係止されてもよい。また、上固定部７１は、必ずしも面ファスナである必要はない。上固定部７１は、例えば、外前面部２２の上部の内面に設けられた粘着材であってもよく、外前面部２２の上部および内前面部２１の上部に設けられた一組または複数組の紐またはホック（好ましくは、耐熱性ホック）であってもよい。側縁固定部７２でも、面ファスナのループ部材である第２係止部７２２が省略され、フック部材である第１係止部７２１が前面部２に直接的に係止されてもよい。また、側縁固定部７２は、必ずしも面ファスナである必要はない。側縁固定部７２は、例えば、外前面部２２の側縁に沿って外前面部２２の内面に設けられた粘着材であってもよく、外前面部２２の側縁部および内前面部２１の外面に設けられた一組または複数組の紐またはホック（好ましくは、耐熱性ホック）であってもよい。
【００５２】
上突出部２３の内前面部２１の外面または背面部３の外面への固定は、面ファスナのフック部材とループ部材との係止には限定されず、ループ部材が省略され、フック部材により直接的に係止されてもよい。また、上突出部２３の上記固定は、面ファスナ以外の方法（例えば、粘着材による粘着）により行われてもよい。上突出部２３は、必ずしも内前面部２１または背面部３に固定されなくてもよい。上突出部２３は、省略されてもよい。中央突出部２４の内前面部２１の外面または背面部３の外面への固定も、面ファスナのフック部材とループ部材との係止には限定されず、ループ部材が省略され、フック部材により直接的に係止されてもよい。また、中央突出部２４の上記固定は、面ファスナ以外の方法（例えば、粘着材による粘着）により行われてもよい。中央突出部２４は、省略されてもよい。
【００５３】
第２紐部７４の外前面部２２への仮固定は、粘着材による粘着以外の様々な方法により行われてもよい。また、第２紐部７４は、必ずしも外前面部２２の内面に仮固定される必要はない。
【００５４】
医療用ガウン１では、例えば、第１紐部７３および第２紐部７４に代えて、図８に示すように、面ファスナ７５が設けられてもよい。面ファスナ７５は、互いに着脱自在に係止可能な２つの係止部７５１，７５２を備える。係止部７５１は、内前面部２１の上下方向の中央部において、内前面部２１の側縁部の外面に配置される。係止部７５２は、外前面部２２の上下方向の中央部において、外前面部２２の内面に配置される。医療用ガウン１を着用する際には、内前面部２１の内面を着用者の前面に接触させ、外前面部２２の係止部７５２を内前面部２１の係止部７５１上に重ね、外前面部２２の外面側から係止部７５２を係止部７５１へと押し当てる。これにより、係止部７５１と係止部７５２とが互いに係止され、面ファスナ７５により、着用者の左側（すなわち、左右方向の上記他方側）にて、内前面部２１の側縁部が外前面部２２の内面に着脱自在に固定される。これにより、医療用ガウン１の着用時に着用者が外前面部２２の内面に触れることなく清潔性を維持した状態で、内前面部２１の側縁部を外前面部２２の内面に固定することができる。
【００５５】
一対の手袋部５と一対の袖部４との接続部の構造は、様々に変更されてよい。例えば、一対の袖部４の先端部の内面と、一対の手袋部５の外面とが固定されてもよい。また、一対の手袋部５は、必ずしも一対の袖部４と別部材である必要はない。一対の手袋部５は、一対の袖部４と同材料により一対の袖部４に連続する一繋がりの部材として形成されてもよい。
【００５６】
一対の手袋部５は、弾性部材製には限定されず、他の様々な材料により形成されてもよい。また、一対の手袋部５の端縁はそれぞれ、必ずしも手首と肩部との間に位置する必要はなく、例えば、手首に位置していてもよい。
【００５７】
医療用ガウン１では、摘まみ部６１の位置は、保護部材６の縁部において様々に変更されてよい。また、摘まみ部６１は省略されてもよい。
【００５８】
医療用ガウン１は、上述の構成以外に様々な構成を備えていてもよい。例えば、医療用ガウン１は、着用者の喉元に位置する外前面部２２の上端縁から上方に広がって着用者の顔の下半分を覆うマスク部を備えていてもよい。
【００５９】
医療用ガウン１では、一対の袖部４の先端部に一対の手袋部５は接続されていなくてもよい。この場合、着用者は、例えば医療用ガウン１の着用完了後に、医療用ガウン１とは別に準備された手袋を両手に装着する。
【００６０】
医療用ガウン１は、例えば、着用者の背面側で左右の部位を閉じる後閉じタイプのガウンであってもよい。この場合、着用者の前面を覆う前面部２は、連続する１枚のシート状の部位である。また、着用者の背面を覆う背面部３は、前面部２の左右方向の一方側から着用者の背面側に広がる第１背面部と、前面部２の左右方向の他方側から着用者の背面側に広がる第２背面部とを備える。第１背面部と第２背面部とは、着用者の背面側にて面ファスナや紐等を用いて固定される。
【００６１】
上記実施の形態および各変形例における構成は、相互に矛盾しない限り適宜組み合わされてよい。
【符号の説明】
【００６２】
１    医療用ガウン
２    前面部
３    背面部
４    袖部
５    手袋部
６    保護部材
２１    内前面部
２２    外前面部
２３    上突出部
２４    中央突出部
６１    摘まみ部
７１    上固定部
７２    側縁固定部
７３    第１紐部
７４    第２紐部
２３１，２３２    面ファスナ
７１１    第１係止部
７１２    第２係止部
【図１】
2017214667.tif 000003
【図２】
2017214667.tif 000004
【図３】
2017214667.tif 000005
【図４】
2017214667.tif 000006
【図５】
2017214667.tif 000007
【図６】
2017214667.tif 000008
【図７】
2017214667.tif 000009
【図８】
2017214667.tif 000010